(57)【要約】【課題】本発明は、衛生面に配慮するとともに、傷口を最小限に緩和することができるヘッドピン、及びそのヘッドピンを利用した頭部固定用器具を提供する。【解決手段】本発明の頭部固定用器具１０は、本体３１と、前記本体３１の先端に設けられる先端部３５と、を備え、前記先端部３５の軸線に対して、前記本体３１が回転可能に備えられているヘッドピン３０と、前記ヘッドピン３０を複数支持するための支持部材２０と、を備えている。【選択図】　　　図１
2004089456.tif 000002
【特許請求の範囲】
【請求項１】
頭部を固定するためのヘッドピンであって、本体と、前記本体の先端に設けられる先端部と、を備え、前記先端部の軸線に対して、前記本体が回転可能に備えられていることを特徴とするヘッドピン。
【請求項２】
前記先端部は、頭部を固定する際に、前記先端部と前記頭部の接触部に生じる摩擦係数が、前記先端部と前記本体の接触部に生じる摩擦係数よりも大きくなるように備えられていることを特徴とする請求項１に記載のヘッドピン。
【請求項３】
前記本体と先端部とは取り外し可能に備えられていることを特徴とする請求項１に記載のヘッドピン。
【請求項４】
前記先端部が、前記本体から脱落するのを防ぐための脱落防止手段を備えていることを特徴とする請求項１に記載のヘッドピン。
【請求項５】
前記本体と先端部とは種類の異なる材料で形成されていることを特徴とする請求項１に記載のヘッドピン。
【請求項６】
請求項１〜５のいずれかに記載のヘッドピンと、
前記ヘッドピンを複数支持するための支持部材と、
を備えていることを特徴とする頭部固定用器具。
【発明の詳細な説明】
【０００１】
【発明の属する技術分野】
本発明は、脳神経外科等の分野の手術において患者の頭部を固定するためのヘッドピン、及びそのヘッドピンを利用した頭部固定用器具に関する。
【０００２】
【従来の技術】
多くの医学的処置及び手術等においては、患者の頭部を特定の位置に保持することが必要な場合がある。例えば、脳神経外科の手術においてである。
【０００３】
その場合には、頭部を支持するためのヘッドピンと、そのヘッドピンを支持するための支持体と、を備えた器具を用い、患者の頭部の周辺にその支持体を配置し、ヘッドピンを頭部にねじ込んで頭蓋骨と係合させ、患者の頭部を固定していた。また、ヘッドピンは、ボルトのようなネジ構造で、頭蓋骨にアンカーとして差し込むピンと、そのピンをねじこむためのネジ部と、が一体に作られていた。
【０００４】
【発明が解決しようとする課題】
ヘッドピンは手術が終わる毎に洗浄されて滅菌されるが、ネジ部とピンは一体のためピンの部分は手術の都度に違う患者と接触するため衛生面に特に配慮する必要がある。
【０００５】
また、医師は患者に対して頭部を固定する際の頭部におけるピンの挿入によって生じる傷口に特に配慮し、できるだけ処置面を緩和したいという要望がある。
【０００６】
本発明が解決しようとする課題には、上記した問題が一例として挙げられる。
【０００７】
そこで本発明は、衛生面に配慮するとともに、傷口を最小限に緩和することができるヘッドピン、及びそのヘッドピンを利用した頭部固定用器具を提供することを目的とする。
【０００８】
【課題を解決するための手段】
以下、本発明について説明する。なお、本発明の理解を容易にするために添付図面の参照符号を括弧書きにて付記するが、それにより本発明が図示の形態に限定されるものではない。
【０００９】
本発明のヘッドピン（３０）は、頭部（４）を固定するためのヘッドピンであって、本体（３１）と、前記本体の先端に設けられる先端部（３５）と、を備え、前記先端部の軸線に対して、前記本体が回転可能に備えられていることを特徴とする。
【００１０】
この発明によれば、本体と先端部とを独立した構造にできるため、本体を回転し先端部を頭部に挿入して固定するにあたって、本体の回転に対し先端部を回転させないようにしながら先端部を頭部に挿入することができる。これにより患者の頭部を確実に固定することができるとともに、患者に対し処置面を最小限の傷のみで済ませることができ、傷口を緩和できる。
【００１１】
また、前記先端部は、頭部を固定する際に、前記先端部と前記頭部の接触部に生じる摩擦係数が、前記先端部と前記本体の接触部に生じる摩擦係数よりも大きくなるように備えられていることを特徴とする。
【００１２】
この発明によれば、頭部にヘッドピンの先端部を挿入し固定する場合において、先端部は、先端部と頭部との接触部の摩擦係数が先端部と本体との接触部の摩擦係数よりも大きくなるように本体に備えられているため、先端部は、本体の回転に対して回転しにくくなるため、ねじ込むというよりは、押圧して頭部に挿入させることができる。そのため患者に対し処置面を最小限の傷のみで済ませることができ、傷口を緩和できる。
【００１３】
また、前記本体と先端部とは取り外し可能に備えられていていることを特徴とする。
【００１４】
この発明によれば、本体と先端部とをそれぞれ独立した部材とすることができるため、手術等の処置ごとに先端部のみを取り替えることができるので衛生面に配慮することができる。
【００１５】
また、前記先端部が、前記本体から脱落するのを防ぐための脱落防止手段を備えていることを特徴とする。
【００１６】
この発明によれば、ヘッドピンを頭部に装着等する際における先端部の脱落を防止できる。
【００１７】
また、前記本体と先端部とは種類の異なる材料で形成されていることを特徴とする。具体的には、本体は主として強度等を配慮した材料、先端部は人体の内部に挿入されるものなので衛生面等を配慮した材料であることが好ましい。また、先端部は人体の内部に挿入されるため、一度限りで交換することが好ましい。
【００１８】
この発明によれば、本体と先端部それぞれの用途等に適した材料を使用できる。また、先端部は人体の内部に挿入されるものなので、衛生面等を配慮した材料とすることができる。
【００１９】
また、本発明の頭部固定用器具は、上記記載のヘッドピンと、前記ヘッドピンを複数支持するための支持部材と、を備えていることを特徴とする。
【００２０】
本発明によれば、頭部をヘッドピンを介して確実に固定できるとともに、頭部所定部に対しヘッドピンが押圧するように挿入されるので、処置面を最小限の傷のみで済ませることができ、傷口を緩和できる。
【００２１】
【発明の実施の形態】
以下、図１〜図４を参照して、本発明による頭部固定用器具の実施形態について説明する。
【００２２】
図１は患者の頭部を固定した際の状態を示し、図１（ａ）は正面図、図１（ｂ）は頭部近傍の右側面図、図１（ｃ）はＡ内部構造図、図２はヘッドピンの外観図、図３はヘッドピン先端部の内部構造図、図４はヘッドピン本体の外観図である。
【００２３】
本発明の頭部固定用器具１０は、図１（ａ）に示すように、手術台１の一端にアーム機構部５を介して備えられる。また、この手術台１は、下方にこの手術台１を支持、及び上下にこの手術台１を昇降可能な昇降装置が備えられている。アーム機構部５は、複数のアーム２、２、・・・、２を備えており、各アーム２の端部同士が連結されて形成される。このアーム機構部５は、頭部固定用器具１０の設置位置を調整するために備えられる。各アーム２は所定の方向に回動自由に回転等の調整ができる。これにより、頭部固定用器具１０は、手術台１に載置される患者３の身長等に合わせて自由に設置位置を調整できる。
【００２４】
また、頭部固定用器具１０は、図１（ｂ）に示すように、支持部材２０と、複数のヘッドピン３０、３０、・・・、３０と、を備えている。この頭部固定用器具１０は、主として、患者３の頭部４を固定する処置に必要なものである。具体的には、頭部固定用器具１０は、手術台１の上に載置される患者３の頭部４を複数のヘッドピン３０を介して支持部材２０により支持する。その際、支持部材２０は、人間の耳の前面（こめかみ近傍）から後頭部の周りに配置される。なお、本実施形態においては、支持部材２０により頭部を固定する一例として、後頭部を支持部材２０により支持する形態を示しているが、手術位置によって、側頭部、前頭部を支持部材２０により支持する場合もある。
【００２５】
支持部材２０は、剛体であり、患者の頭蓋骨の後側の曲面に適合した立体的形状を有しており、例えば、リング状に形成される。更に具体的には、支持部材２０は、患者の頭部４外周を覆うために略円形状であることが望ましい。また、支持部材２０は、頭部４を所定の位置に載置するための開口部２１を有する。開口部２１は患者３の頭部４の巾より少し広い程度に設定されるのが望ましい。
【００２６】
また、支持部材２０は、図１（ｃ）に示すように、所定の間隔に、ネジ溝２２ａを有する溝部２２を複数有している。また、この溝部２２ａは、後述するヘッドピン３０の先端部３５を患者３の頭部４内部に挿入するための挿入手段の１つとして機能する。
【００２７】
また、図１（ｂ）、（ｃ）に示すように、この溝部２２は支持部材２０の外方から内方に貫通している。また、この溝部２２は、支持部材２０の枠体２２ａに沿って放射状に設けられる。具体的には、頭部４に対して垂直方向に配置されるように設けられることが好ましい。これら溝部２２には、ヘッドピン３０が設けられる。また、ヘッドピン３０には、後述する本体３１の外周面の所定位置に切り溝３０ａが設けられている。ヘッドピン３０と支持部材２０とは、この切り溝３０ａとネジ溝２２ａとが螺合することにより連結される。
【００２８】
また、ヘッドピン３０は、図２に示すように、本体３１と、その本体３１の先端に設けられる先端部３５と、から構成される。また、本体３１と先端部３５との断面形状は、略円形状である。
【００２９】
本体３１の胴体３１ａは略円柱形状である。また、本体３１は、図２、図４に示すように、一方の端部に凸部３２を備え、他方につまみ３３（図上においては、上下方向）を備えている。つまみ３３は、略トラック形状をしており、胴体３１ａの所定部を貫通して設けられている。また、凸部３２の所定部の外周面には突起部３２ａを備えている。また、本体３１は、適度な強度を必要とするためステンレス鋼、チタン合金等を使用する。
【００３０】
先端部３５は、図３に示すように、一方の端部に尖端部３６を備え、他方に開口部３７ａを有する凹部３７を備えている。また、先端部３５の胴体３５ａは、略円柱形状である。また、凹部３７の開口部３７ａの端部近傍には突起受け部３８を備えている。また、先端部３５は、頭部内部に挿入される長さに設定される。
【００３１】
また、凹部３７は、本体３１の一方の端部に備えられている凸部３２と嵌合する。具体的には、凸部３２に備えられている突起部３２ａと凹部３７に備えられている突起受け部３８とが嵌合する。この突起部３２ａと突起受け部３８は、先端部３５が本体３１から容易に脱落するのを防止するための脱落防止手段として機能する。
【００３２】
また、この突起部３２ａと突起受け部３８により、先端部３５を容易に取り外すことができる。これにより処置ごとに先端部３５を容易に替えることができるとともに、衛生面に配慮できる。
【００３３】
また先端部３５は、樹脂、セラミックス、アルミ合金等を使用する。
【００３４】
また本体３１の凸部３２の軸の長さは、凹部３７の深さよりも長く設定されるとともに、凸部３２の先端は丸みを帯びていることが望ましい。また、凹部３７の底部３７ｂが本体３１方向に丸みを帯びた凸部を備えていてもよい。これにより本体３１と先端部３５との接触面積を小さくできる。また、この先端部３５は、頭部を固定する際に、先端部３５と頭部４との接触部に生じる摩擦係数が、先端部３５と本体３１との接触部に生じる摩擦係数よりも大きくなるように備えられる。これにより、ヘッドピン３０により患者３の頭部４を固定する際において、本体３１を回転しても、先端部３５は回転しにくくなるため、先端部３５が押圧されながら、頭部４に挿入される。これにより、患者に対して処置面は最小限の傷のみで済み、傷口を緩和できる。
【００３５】
また、上記本体３１の外周面に設けられている切り溝３０ａとつまみ３３とは、ヘッドピン３０の先端部３５を患者３の頭部４内部に挿入するための挿入手段の１つとして機能する。
【００３６】
次に、患者に本発明の頭部固定用器具を設置する処置工程を説明する。
【００３７】
本処置は、例えば、患者３の頭部４を静止した状態でその頭部４の内部を手術等する事が必要な場合等である。
【００３８】
まず、患者３を手術台１の台１ａ上に載置する。
【００３９】
次に、アーム機構部５の各アーム２を回動等しながら、患者３の頭部４（人間の耳の前面（こめかみ近傍）から後頭部の周りに）に頭部固定用器具１０が位置するように調整し、患者３の頭部４を包囲するようにはめ込まれる。
【００４０】
次に、各ヘッドピン３０の先端部３５を人体の内部に挿入するために、つまみ３３を回転する。つまみ３３を回転することにより本体３１が回転し、支持部材２０に設けられているネジ溝２２ａとヘッドピン３０の本体３１の外周面に設けられている切り溝３０ａとが螺合し合い、徐々にヘッドピン３０の先端部３５が押圧されながら、図１（ｃ）の矢印に示すように、患者３の頭部４に挿入され、頭蓋骨と係合する。また、支持部材２０に備えられる他の総てのヘッドピンの先端部３５も同様に所定部に挿入され、頭蓋骨と係合し、処置を終了する。
【００４１】
以上のように、本発明の頭部固定用器具１０により、頭部４を固定したのち所定の手術を行う。また、手術等を行う上で頭部４を傾けたりする場合もあるが、頭部４は、ヘッドピン３０により確実に支持されているため、所定位置に確実に支持できる。
【００４２】
以上に説明したように、本発明のヘッドピン３０は、患者３の頭部４を固定するためのヘッドピン３０であって、本体３１と、この本体３１の先端に設けられる先端部３５と、を備え、この先端部３１の軸線に対して、本体３１が回転可能に備えられている。また、この先端部３５は、頭部４を固定する際に、先端部３５と頭部４との接触部に生じる摩擦係数が、先端部３５と本体３１との接触部に生じる摩擦係数よりも大きくなるように備えられている。
【００４３】
これにより、ヘッドピン３０を頭部４に固定する場合に、先端部３５をほぼ回転させずに頭部４に挿入できる（ねじ込むというよりは押圧しながら頭部４に挿入できる）ため、患者に対し処置面を最小限の傷のみで済ませることができ、傷口を緩和できる。
【００４４】
また、先端部３５が、本体３１から脱落するのを防ぐための脱落防止手段として、例えば、本体３１には突起部３２ａを、先端部には突起受け部３８を備え、本体３１と先端部３５とを嵌合できるように備えられる。これによりヘッドピン３０を装着等する際の脱落を防止できる。また、先端部３５が容易に取り外し可能となる。
【００４５】
また、本体３１と先端部３５とは種類の異なる材料で形成されている。これにより、本体３１と先端部３５それぞれの用途等に適した材料を使用できる。また、先端部は人体の内部に挿入されるものなので、衛生面等を配慮した材料とすることができる。
【００４６】
また、本発明の頭部固定用器具は、上記記載のヘッドピン３０と、ヘッドピン３０を複数支持するための支持部材２０と、を備えている。
【００４７】
これによれば、頭部４をヘッドピン３０を介して確実に固定できるとともに、頭部４所定部に対しヘッドピン３０が押圧するように挿入されるので、処置面を最小限の傷のみで済ませることができ、傷口を緩和できる。
【００４８】
本発明は以上の実施形態に限定されることなく、種々の形態にて実施してよい。
【図面の簡単な説明】
【図１】患者の頭部を固定した際の状態を示し、図１（ａ）は正面図、図１（ｂ）は頭部近傍の右側面図、図１（ｃ）はＡ内部構造図である。
【図２】ヘッドピンの外観図である。
【図３】ヘッドピン先端部の内部構造図である。
【図４】ヘッドピン本体の外観図である。
【符号の説明】
４　頭部
１０　頭部固定用器具
２０　支持部材
３０　ヘッドピン
３１　本体
３５　先端部
【図１】
2004089456.tif 000003
【図２】
2004089456.tif 000004
【図３】
2004089456.tif 000005
【図４】
2004089456.tif 000006